(57)【特許請求の範囲】
【請求項１】
医療機関において、患者の体内に投入した被検知体の被検知体ＩＤを記憶した携帯検知装置を患者に装着し、前記医療機関の外部において前記被検知体から発せられる前記患者の検査情報を前記携帯検知装置により受信して記憶し、検査終了後に得られる前記検査情報を前記医療機関の外部の処理機関に設けられた管理サーバにおいて処理するシステムに用いられる検査データ管理方法であって、
前記携帯検知装置は、前記管理サーバ内のデータ回収用ウェブサーバに接続された複数の無線交信器のうちの少なくとも何れかの動作範囲に前記携帯検知装置が入った際に、前記無線交信器を通じて前記被検知体ＩＤおよび前記検査情報を前記データ回収用ウェブサーバへ送信し、前記無線交信器の動作範囲から外れて前記無線交信器への前記被検知体ＩＤあるいは前記検査情報の送信が遮断された際に、遮断されるまでのデータを記憶して再度送信が開始されたときに続きのデータを前記無線交信器を通じて前記データ回収用ウェブサーバへ送信し、
前記管理サーバが、前記患者の体内に投入された前記被検知体の被検知体ＩＤと、該被検知体を投入した前記医療機関の医療機関ＩＤとを相互に関連付けて記憶しておき、前記患者から入手した前記携帯検知装置から前記被検知体ＩＤと前記検査情報とを読み込み、該検査情報に所定の処理を施した加工データを生成し、前記被検知体ＩＤをキーとして該加工データを医療機関と対応付け、前記被検知体ＩＤと前記加工データとを関連付けて前記医療機関に対し出力することを特徴とする検査データ管理方法。
【請求項２】
請求項１に記載の検査データ管理方法において、
前記処理機関の管理サーバが、前記加工データに加え、更に未加工データを関連付けて前記医療機関に対し出力することを特徴とする検査データ管理方法。
【請求項３】
請求項１又は２に記載の検査データ管理方法において、
前記処理機関の管理サーバが、第１のネットワークを介して前記被検知体ＩＤと前記加工データとを関連付けて前記医療機関に対して出力することを特徴とする検査データ管理方法。
【請求項４】
請求項３に記載の検査データ管理方法において、
前記処理機関の管理サーバが、第２のネットワークを介して前記患者から前記被検知体ＩＤと前記検査情報とを入手することを特徴とする検査データ管理方法。
【発明の詳細な説明】
【０００１】
【発明の属する技術分野】
本発明は、（医療機関の外部で得られた患者の検査情報を、処理機関を介して容易に且つ第三者に情報を漏らすことなく確実に医療機関が得ることができる）検査データ管理方法に関する。
【０００２】
【従来の技術】
周知のように、被検者（患者）が自分の健康状態を確認する方法として、人間ドックや内視鏡検査等の各種検査による方法が知られている。例えば、被検者が内視鏡検査を受けたい場合、病院、診療所等の医療機関に訪れて検査を受け、その後、検査結果の説明を医師等から受けるために、検査当日に所定時間待って説明を受けるか、後日改めて医療機関を訪れて説明を受けているのが現状である。
また、健康状態を容易に検査できるものとして、ラジオカプセルが提供されている（例えば、特許文献１参照）。このラジオカプセルは、カプセル錠剤等の形状のカプセル内に、生体情報を検出及び撮影するセンサ、センサによって検出された生体情報を送信する送信器、これらセンサ及び送信器に電力を供給するバッテリ及び送信アンテナを備えたものであり、被検者が飲み込むと自動的に被検者の体内の生体情報を検出すると共に被検者が着用した体外ユニットにデータ送信して、検査情報を得るものである。
【０００３】
被検者が、上述したラジオカプセルを使用して健康状態を確認したい場合、内視鏡検査と同様に医療機関に訪れて、医師から渡されたラジオカプセルを飲み込むと共に、体外ユニットを着用する。その後、ラジオカプセルから生体情報が体外ユニットに送信してくるまで医療機関内部にいるか、又は外出後、ラジオカプセルから生体情報が送信されてきた時点で再度医療機関を訪れて、体外ユニットを返却するか又は体外ユニットに着脱可能に設けられ生体情報を記憶するメモリを返却する。そして、生体情報から検査結果がでた時点で、再び被検者は医療機関を訪れて検査結果の説明を受ける必要がある。
【０００４】
【特許文献１】
特開２００１-４６３５７号公報（段落番号００１０−００１５段落、第１−６図）
【０００５】
【発明が解決しようとする課題】
ところで、上記特許文献１に記載のラジオカプセルでは、被検者は、検査開始時、体外ユニット返却時及び検査結果時等に何度も医療機関を訪れる必要があり、医療機関に行くだけで時間を費やすので、手間がかかるといった不都合があった。また、ラジオカプセルは、被検者の生体情報を一定時間の間隔で断続的且つ無作為に測定及び撮影し、大量の生体情報として体外ユニットに送信している。医療機関は、被検者から体外ユニット又はメモリを回収した後、生体情報を取り出すと共に大量の生体情報の中から必要な情報のみを処理する必要があるので、時間と手間がかかり生体情報の処理が困難なものであった。特に、このようなラジオカプセルは、検査が容易なことから、今後の需要増大が予想され、上述したような医療機関の処理作業の負担が増大することが予想される。
更に、被検者の検査情報は、プライバシーの観点から医療機関以外の第三者に個人情報が漏れないよう、慎重に取り扱う必要がある。
【０００６】
この発明は、このような事情を考慮してなされたもので、その目的は、医療機関の外部で得られた被検者の検査情報の中から必要な情報のみを、被検者の手間をかけずに、容易で且つ第三者に情報を漏らすことなく確実に医療機関が得ることができる検査データ管理方法を提供することである。
【０００７】
【課題を解決するための手段】
上記の目的を達成するために、この発明は以下の手段を提供している。
請求項１記載の発明は、医療機関において、患者の体内に投入した被検知体の被検知体ＩＤを記憶した携帯検知装置を患者に装着し、前記医療機関の外部において前記被検知体から発せられる前記患者の検査情報を前記携帯検知装置により受信して記憶し、検査終了後に得られる前記検査情報を前記医療機関の外部の処理機関に設けられた管理サーバにおいて処理するシステムに用いられる検査データ管理方法であって、前記携帯検知装置は、前記管理サーバ内のデータ回収用ウェブサーバに接続された複数の無線交信器のうちの少なくとも何れかの動作範囲に前記携帯検知装置が入った際に、前記無線交信器を通じて前記被検知体ＩＤおよび前記検査情報を前記データ回収用ウェブサーバへ送信し、前記無線交信器の動作範囲から外れて前記無線交信器への前記被検知体ＩＤあるいは前記検査情報の送信が遮断された際に、遮断されるまでのデータを記憶して再度送信が開始されたときに続きのデータを前記無線交信器を通じて前記データ回収用ウェブサーバへ送信し、前記管理サーバが、前記患者の体内に投入された前記被検知体の被検知体ＩＤと、該被検知体を投入した前記医療機関の医療機関ＩＤとを相互に関連付けて記憶しておき、前記患者から入手した前記携帯検知装置から前記被検知体ＩＤと前記検査情報とを読み込み、該検査情報に所定の処理を施した加工データを生成し、前記被検知体ＩＤをキーとして該加工データを医療機関と対応付け、前記被検知体ＩＤと前記加工データとを関連付けて前記医療機関に対し出力することを特徴とする検査データ管理方法を提供する。
【０００８】
この発明に係る検査データ管理方法においては、処理機関の管理サーバが、患者から入手した携帯検知装置から検査情報を読み込んだ後、所定の処理を施して医療機関が診断に必要な加工データを生成し、これを医療機関に出力する。これにより、医療機関は、処理機関から患者の診断に必要な加工データを容易に得るので、従来あった検査情報の処理作業という負担を軽減することができる。
また、処理機関の管理サーバは、被検知体ＩＤと医療機関ＩＤとを関連付けて記憶しており、患者からは被検知体ＩＤ及び検査情報を入手する。これにより、被検知体ＩＤをキーとして、被検知体を患者に投入した医療機関が特定できるので、確実に患者の検査情報である加工データを、医療機関に送ることができる。
更に、医療機関、処理機関及び患者の間において、被検知体ＩＤをキーとして患者の検査情報の受け渡しを行っているので、患者の氏名等の個人情報が処理機関に漏れる可能性はない。従って、患者の個人情報が、診察を受ける医療機関以外の第三者に漏れることはなく、患者は安心して検査を受けることができる。
【０００９】
請求項２記載の発明は、請求項１に記載の検査データ管理方法において、前記処理機関の管理サーバが、前記加工データに加え、更に未加工データを関連付けて前記医療機関に対し出力する検査データ管理方法を提供する。
この発明に係る検査データ管理方法は、被検知体ＩＤに関連付けた加工データに加え、未加工データもあわせて医療機関に出力するので、医療機関は、患者の検査に必要な加工データを得ることに加え、その他の患者情報も得る。これにより、医療機関は、患者の検査情報が蓄積できるので、仮に患者がこの先他の病気にかかった場合においても、速やかに対応できると共にそれまでの検査情報が蓄積されているので、病気の進行具合等も容易に確認することができる。また、患者としても、安心して医療機関に通院することができる。
【００１０】
請求項３記載の発明は、請求項１又は２に記載の検査データ管理方法において、前記処理機関の管理サーバが、第１のネットワークを介して前記被検知体ＩＤと前記加工データとを関連付けて前記医療機関に対して出力する検査データ管理方法を提供する。
この発明に係る検査データ管理方法においては、処理機関の管理サーバと医療機関との間における患者の被検知体ＩＤと加工データとを含んだデータの受け渡しが、第１のネットワークを介して行うので、より確実で且つ時間を短縮して行うことができ、医療機関は、患者の診断を速やかに行うことができる。また、処理機関の管理サーバは、医療機関と直接データの受け渡しを行うので、データの紛失等を防止でき、安全性を向上させると共に患者の個人情報の漏洩を更に防止することができる。
【００１１】
請求項４記載の発明は、請求項３に記載の検査データ管理方法において、前記処理機関の管理サーバが、第２のネットワークを介して前記患者から前記被検知体ＩＤと前記検査情報とを入手する検査データ管理方法を提供する。
この発明に係る検査データ管理方法においては、処理機関の管理サーバが、第２のネットワークを介して患者から被検知体ＩＤに対応付けた検査情報を入手するので、検査終了後、確実且つ速やかに、また情報の漏洩なく患者からデータを入手することができる。
【００１２】
【発明の実施の形態】
以下、本発明に係る検査データ管理方法の第１実施形態を、図１及び図２を参照して説明する。
本実施形態の検査データ管理方法は、図１に示すように、病院（医療機関）２０において、患者（被検者）３０の体内にカプセル内視鏡（被検知体）Ａを投入すると共に、投入したカプセル内視鏡ＡのカプセルＩＤ（被検知体ＩＤ）を記憶した体外装置（携帯検知装置）Ｂを患者３０に装着し、病院２０の外部においてカプセル内視鏡Ａから発せられる患者３０の検査情報Ｃを体外装置Ｂにより受信して記憶し、検査終了後に得られる検査情報Ｃを病院２０の外部の処理機関４０において処理する管理システム１０に用いられる管理方法である。
【００１３】
上記カプセル内視鏡Ａは、内部に患者３０の体内を一定時間の間隔で断続的且つ無作為に撮影する小型カメラ、撮影した映像を検査情報Ｃとして記憶するメモリ、体外装置Ｂに送信するアンテナを含む送信回路及び電力源である電池等を有している。また、このカプセル内視鏡Ａは、固有のカプセルＩＤ、例えば製造シルアル番号等を有している。更に、カプセル内視鏡Ａは、図示しない専用の収用箱内に収用されており、該収用箱から取り出されると自動的にカプセル内視鏡Ａに電源が入るように設定されている。なお、該収容箱から取り出した後に赤外線リモコン等により赤外線を照射したり、専用磁石等を近づけることで電源が入るように設定しておくことも可能である。
【００１４】
上記体外装置Ｂは、内部にカプセル内視鏡Ａから送られてきたカプセルＩＤを含む情報を受信するための受信回路及び該情報を記憶するためのメモリ等を有している。この体外装置Ｂは、カプセル内視鏡Ａと最初に通信したときに、カプセル内視鏡ＡのカプセルＩＤを取り込んでメモリに記憶するように設定されていると共に、カプセル内視鏡Ａからの検査情報Ｃを随時取り込んでメモリに記憶するよう設定されている。これにより、体外装置Ｂは、カプセルＩＤを照合して、最初に記憶したカプセルＩＤからの検査情報Ｃのみを取り込むと共に、カプセルＩＤと関連付けて記憶するようになっている。また、体外装置Ｂは、例えば、タイマを有しており、検査情報Ｃを最初に受信したときから計時して、所定の検査時間を経た後に外部に検査情報を報知するようになっている。
なお、体外装置Ｂは、例えば、図示しない入力部を備えた構成にして、カプセル内視鏡Ａの収用箱等に記載されているカプセルＩＤを入力することで、入力されたカプセルＩＤに対応したカプセル内視鏡Ａからのみ、検査情報Ｃを受信するようにすることも可能である。
【００１５】
また、本実施形態の検査データ管理方法は、図２に示すように処理機関４０において、患者３０の体内に投入されたカプセル内視鏡ＡのカプセルＩＤと、該カプセル内視鏡Ａを投入した病院２０の病院ＩＤとを相互に関連付けて記憶する記憶ステップ（Ｓ１０１）と、患者３０から入手した体外装置ＢからカプセルＩＤと検査情報Ｃとを読み込む読込ステップ（Ｓ１０３）と、該検査情報Ｃに所定の処理を施した加工データＤを生成する生成ステップ（Ｓ１０４）と、カプセルＩＤをキーとして該加工データＤを病院２０と対応付け、カプセルＩＤと加工データＤとを関連付けて病院２０に対し出力する出力ステップ（Ｓ１０５）とを備えている。
【００１６】
まず、カプセル内視鏡Ａの検査希望の患者３０が、病院２０を訪れた際に、医師は、体外装置Ｂを患者Ａに装着させると共に、カプセル内視鏡Ａを収用箱から取り出し、患者３０に飲ませて体内に投入する（Ｓ１００）。この際、医師は、カプセル内視鏡ＡのカプセルＩＤが、体外装置Ｂに入力されたことを確認する。次いで、カプセル内視鏡Ａを患者３０に投入した後、医師は、使用したカプセルＩＤ（例えば、Ｃ−１２３４）、病院ＩＤ（例えば、Ｈ−１２３４）に加え、患者３０の症状に合わせた特記事項、例えば、小腸周辺の情報のみ希望等を、各々関連付けたカプセル使用データ５０を郵送等により契約している処理機関４０に送付する。
【００１７】
処理機関４０は、記憶ステップ（Ｓ１０１）において、病院２０から送られてきたカプセル使用データ５０を、例えばデータベースに記憶させて管理する。なお、この際に処理機関４０が、カプセル内視鏡Ａの納品機関と同じ時には、処理機関４０は、病院２０にカプセル内視鏡Ａを提供したときのカプセルＩＤデータと照合することにより、送られてきたカプセル使用データ５０が、カプセル内視鏡Ａを提供した病院２０から適切に送られてきたことを確認することも可能である。
【００１８】
一方、病院２０でカプセル内視鏡Ａを飲んだ患者３０は、病院２０を出て通常の生活をすることが可能である。この通常生活の間にも、カプセル内視鏡Ａから体外装置Ｂに随時検査情報Ｃが送られてメモリに蓄積されている。この際、患者３０が装着している体外装置Ｂは、体内に投入されたカプセルＩＤに対応しているので、例えば、日常生活において、同様にカプセル内視鏡Ａを投入された他の患者が近づいたとしても、互いのカプセル内視鏡Ａが発する検査情報Ｃが混信することはない。そして、所定の検査時間が経過した後、体外装置Ｂが検査終了を報知することにより、患者３０は、体外装置Ｂを外して処理機関４０に郵送等により送付する（Ｓ１０２）。
なお、体外装置Ｂの郵送の際、例えば、病院２０が、体外装置Ｂを患者３０に装着したとき、同時に処理機関４０への返却用専用ボックス等を支給することにより、患者３０の氏名、住所等を秘密にして送付でき、返却時における患者３０のプライバシーがより保たれる。
【００１９】
処理機関４０は、読込ステップ（Ｓ１０３）において、患者３０から送られてきた体外装置ＢからカプセルＩＤ及び検査情報Ｃを読み込む。次いで、生成ステップ（Ｓ１０４）において、読み込んだ検査情報Ｃに所定の処理を施した加工データＤを生成する。即ち、検査情報Ｃは、上述したように患者の体内を一定時間の間隔で断続的且つ無作為に撮影した大量のデータであるので、病院２０が検査に使用できる撮影状態の良い有効なデータと、撮影状態の悪い無効なデータとが混同した状態となっている。処理機関４０は、この混同した検査情報Ｃから検査に有効なデータのみを取り出すよう処理して加工データＤを生成する。特に、病院２０から送られてきたカプセル使用データ５０に、上述した小腸周辺の情報のみ希望等の特記事項が含まれていた場合、この特記事項に基づいた情報を病院２０に提供できるように、検査情報Ｃを更に加工処理することも可能である。
また、加工データＤに加え、例えば、マーキング等で識別して未加工データを同時に送付しても良い。
【００２０】
加工データＤの生成が終了した後、出力ステップ（Ｓ１０５）において、処理機関４０は、カプセルＩＤに対応付けられた病院ＩＤにより、加工データＤの送付先である病院２０を特定し、該病院２０にカプセルＩＤと加工データＤとを関連付けて郵送等により送付する。なお、この加工データはＤ、患者３０から送られてきた検査情報Ｃそのものを処理するのではなく、検査情報Ｃを一旦記録して管理した後、加工データＤを生成している。即ち、処理機関４０は、カプセルＩＤに関連付けて、検査情報Ｃ及び加工データＤをそれぞれ管理することが可能である。
【００２１】
病院２０は、送られてきたカプセルＩＤ及び加工データＤを受けて、カプセル内視鏡Ａを投入した患者３０を特定する。これにより医師は、病院２０の外部で得られた患者３０の検査状態を有効に表示した加工データＤを確実且つ容易に得ることができる。これにより、病院は、カプセル内視鏡Ａを患者３０に投入するだけで、検査に必要な加工データＤを得るので、従来の処理作業がなくなり病院側の負担を軽減することができる。また、患者としても、従来のように何度も病院を訪れる必要がないので、時間を有効に利用でき、負担を軽減することができる。
また、この加工データＤは、検査に有効なデータであると共に、医師が要望した特記事項を含んだデータ、例えば小腸周辺のみのデータであるので、加工データＤを受け取りしだい患者３０の症状を診断することができる（Ｓ１０６）。また、病院２０で患者３０にカプセル内視鏡Ａを投与してから、加工データＤを得るまでの間、カプセルＩＤをキーとして管理しているので、患者３０の個人情報である検査情報が処理機関４０等の第三者に漏れることは無く、患者３０のプライバシーを保つことでき、患者３０は安心して検査を受けることができる。
【００２２】
この検査データ管理方法によれば、処理機関４０が、患者３０から入手した検査情報Ｃを読み込んだ後、検査情報Ｃを病院２０の検査に必要なデータになるよう処理して加工データＤを生成し、これを病院２０に送る。これにより、病院２０は、処理機関４０から患者３０の診断に必要な加工データＤのみを容易に得るので、従来の処理作業がなくなり、病院側の処理作業にかかる負担を軽減することができる。また、病院２０は、患者３０の診断に集中できると共に、患者３０に対して素早い対応を行うことができる。
また、処理機関４０は、カプセルＩＤと医療機関ＩＤとを関連付けて記憶しているので、カプセルＩＤをキーとして、カプセル内視鏡Ａを患者３０に投入した病院２０を特定でき、加工データＤを病院２０に確実に送ることができる。
更に、カプセルＩＤをキーとして患者３０の検査情報Ｃ、加工データＤの受け渡しを行っているので、患者３０の氏名等の個人情報が診察を受ける病院２０以外の第三者に漏れることはなく、患者３０は安心して検査を受けることができる。
【００２３】
また、処理機関４０から加工データＤに加え、未加工データが同時に送られてきた場合、病院２０は、患者３０のあらゆる検査情報が蓄積できるので、仮に患者３０がこの先他の病気にかかった場合においても、速やかに対応できると共にそれまでの検査情報が蓄積されているので、病気の進行具合等も容易に確認することができる。また、患者３０としても、安心して病院２０に通院することができる。
【００２４】
次に、本発明に係る検査データ管理方法の第２実施形態について、図３を参照して説明する。なお、第２実施形態において、第１実施形態と同一の構成要素については、同一の符号を付しその説明を省略する。
第２実施形態と第１実施形態との異なる点は、第１実施形態では、病院２０及び処理機関４０の間で、患者３０の加工データＤ及びカプセルＩＤ等を郵送等で受け渡した管理方法であるのに対し、第２実施形態の検査データ管理方法では、病院２０及び処理機関４０での検査データの受け渡しが、デジタル専用回線やインターネット等を利用したネットワークＮによる交信により行われる点である。
【００２５】
即ち、図３に示すように、管理システム６０は、処理機関４０が管理サーバ４１を備えており、病院２０が管理サーバ４１とネットワークＮを介して連携されているカプセル管理サーバ２１を備えている。処理機関４０は、管理サーバ４１により、病院２０に提供するカプセルＩＤの管理、病院２０から送信されてくるカプセル使用データ５０の管理を行っている。また、病院は、カプセル管理サーバ２１により、カプセルＩＤ及び加工データＤの管理を行っている。なお、カプセル管理サーバ２１は、患者３０の電子カルテ的な機能を行うことも可能である。
【００２６】
この管理システム６０による検査データ管理方法では、病院２０と処理機関４０との間において、カプセル使用データ５０や加工データＤ等の受け渡しが、より確実で且つ時間を短縮して行うことができると共に、より早い患者３０の診断を行うことができる。また、病院２０と処理機関４０とで、直接データの受け渡しを行うので、データ紛失等が防止でき、安全性が保たれると共に個人情報の漏洩を更に防止することができる。
【００２７】
更に、患者３０が装着する体外装置Ｂに送信機構Ｅを設け、処理機関４０の管理サーバ４１に体外装置Ｂに対応した受信機構４２を設けることで、患者３０と処置機関４０との間においても、互いに交信可能な構成に実現することができる。例えば、体外装置Ｂが、患者３０に投入されているカプセル内視鏡Ａから検査情報Ｃを受け取ったことを確認した後、患者３０は、電波やインターネットを介して送信機構ＥよりカプセルＩＤと共に検査情報Ｃを処理機関４０に送信する。処理機関４０は、患者３０から送信された検査情報Ｃを受信機構４２により受信する。これにより、病院２０、処理機関４０及び患者３０の３者間において、カプセルＩＤに対応付けした検査情報Ｃ、加工データＤの受け渡しが実現でき、よりスピーディで確実に且つ個人情報の漏洩が防止された検査データ管理を行うことができる。
【００２８】
更に、上述した患者３０と処理機関４０との検査データの受け渡しを定期的且つ自動的に行えるようにしても構わない。
例えば、図４に示すように、管理システム７０は、処理機関４０が病院２０、駅、コンビニエンスストア等の屋内や、電柱等の屋外のあらゆる個所に、体外装置Ｂの送信機構ＥにアクセスしてカプセルＩＤ及び検査情報Ｃを読み取り可能な無線交信器４３を備えている。また、該無線交信器４３は、管理サーバ４１内のデータ回収用ウェブサーバ４４に接続されており、例えば、患者３０が数十ｍの所定距離に近づいた際、送信機構Ｅと交信してカプセルＩＤ及び検査情報Ｃを受信すると共に、データ回収用ウェブサーバ４４に送信する機能を有している。
【００２９】
このデータ回収用ウェブサーバ４４は、無線交信器４３から送られてきた患者３０のカプセルＩＤ及び検査情報Ｃを記憶すると共に、仮に途中で送信が遮断された場合でも遮断されるまでのデータを記憶して再度送信が開始されたときに続きのデータを記憶する機能を有している。即ち、患者３０が駅を利用して無線交信器４３の動作範囲に入った際に、カプセルＩＤ及び検査情報Ｃが初回データとしてデータ回収用ウェブサーバ４４に送られる。そして、患者３０が駅を出たときに、駅に設置されている無線交信器４３の動作範囲から外れるので、データ回収用ウェブサーバ４４へのデータ送信が遮断される。その後、患者３０が自宅に帰宅するため電柱の側を通過した場合、電柱に設置されている無線交信器４３の動作範囲に入るので、再びデータ回収用ウェブサーバ４４に２回目のデータが送られる。この際、データ回収用ウェブサーバ４４は、初回データの続きからデータを記憶することが可能である。なお、データ回収用ウェブサーバ４４は、無線交信器４３からデータが送られてきた際に、カプセル内視鏡Ａの位置及びカプセル内視鏡Ａのエラー信号の有無を最初に確認するように設定されている。
【００３０】
一方、体外装置Ｂの送信機構Ｅは、例えば無線ＬＡＮ機能を有する送信機構であって、上記無線交信器４３の範囲以内で、該無線交信器４３にカプセルＩＤ及び検査情報Ｃのデータを送信すると共に、データ回収用ウェブサーバ４４と同様に、仮に途中で送信が遮断された場合でも遮断されるまでのデータを記憶して再度送信が開始されたときに続きのデータを送信する機能を有している。
【００３１】
この管理システム７０による検査データ管理方法では、病院２０でカプセル内視鏡Ａを飲み込んだ患者３０は、病院２０から帰宅して通常生活を送っている最中に、自動的に体内の検査情報ＣがカプセルＩＤに対応付けられたデータとして処理機関４０に回収される。即ち、患者３０が、日常生活で使用する駅やコンビニエンスストア又は街中の電柱等を通過する際に、それぞれに設置されている無線交信器４３によってデータが回収される。このデータ送信中に、患者３０が作動範囲から外れて交信が遮断されたとしても、再度同一の無線交信器４３の作動範囲に入ったり、別の個所に設置されている無線交信器４３の作動範囲内に入った際に、前回送信したデータの続きが送られるので、患者３０は特に意識することなく通常生活を送ることができる。
【００３２】
また、医療機関４０は、患者３０の検査情報Ｃを最後にまとまった形で得るのではなく、随時得ることができるので、例えば、体外装置Ｂの故障等が生じた場合や紛失してしまった場合でも、それまでに体外装置Ｂに蓄積した検査情報Ｃを無駄にすることが防止される。
更に、データ回収用ウェブサーバ４４は、無線交信器４３からデータが送られてきた際に、エラー信号の有無を最初に確認するので、例えば、エラーが検出された場合、その旨をカプセルＩＤと共に病院２０に知らせることができる。これにより、病院２０は、患者３０にいち早く知らせることができ、早期に対応を施すことができると共に、エラーによる無駄な時間を低減させることができる。
更には、処理機関は、患者３０の検査進行具合を把握することができると共に、検査情報Ｃがある程度まとまった時点で加工データＤを生成できるので、さらなる効率化を図ることができる。
なお、処理機関４０は、無線交信器４３から送られてきたデータが全てではなく、検査終了後、患者３０からインターネット等を介して検査情報Ｃが送られてくるのはもちろんである。
【００３３】
なお、本発明の技術分野は、上記実施形態に限定されるものではなく、本発明の趣旨を逸脱しない範囲において種々の変更を加えることが可能である。
【００３４】
例えば、上記各実施形態では、一箇所の病院と処理機関とが対応した場合を示したが、処理機関が、複数の病院、診療所等の医療機関に対応することも可能である。この場合においても、カプセルＩＤと病院ＩＤとにより、患者の検査情報を取り扱うので、確実に患者が訪れた医療機関に患者の加工データを提供することができる。
また、医師の入力により、カプセルＩＤを体外装置に記憶させたが、これに限られず、体外装置にカプセルＩＤを記憶させる方法であれば良い。例えば、カプセル内視鏡が収用箱から取り出されて作動状態になった際に、自動的にカプセル内視鏡から体外装置にカプセルＩＤが送信される方法でも構わない。
更に、カプセル内視鏡を１個飲み込んだ場合を適用したが、複数個のカプセル内視鏡を時間差をあけて飲み込み、１台の体外装置で各カプセル内視鏡から検査情報を取り込んでも構わない。この場合では、複数のカプセル内視鏡からより多くの検査情報を得ることができるので、診断の正確性、精度向上を図ることができる。
【００３５】
更には、カプセル内視鏡は、患者の体内を一定時間の間隔で断続的且つ無作為に撮影するものを適用したが、これに限られず、例えば、ビデオ等のように体内を連続的に撮影するものでも構わない。この場合は、カプセル内視鏡から体外装置にビデオ信号が送られる。
また、カプセル内視鏡は、小型カメラを内蔵し体内を撮影するものに限定されず、患者の体内情報を検出して体外装置にデータ送信可能なものであれば構わない。例えば、ヘモグロビンセンサを内蔵した出血検査用カプセル型医療装置や、ＰＨ値、微生物量及び遺伝子異常等の体内情報を断続的に長時間取得して体外装置に送信する体内情報検査用カプセル型医療装置や、超音波画像等の断続的に取得して体外装置に送信する超音波カプセル型医療装置でも適用可能である。
【００３６】
なお、本発明には、以下のものが含まれる。
【付記】
（付記項１）請求項１又は２に記載の検査データ管理方法において、
前記処理機関が、第１のネットワークを介して前記被検知体ＩＤと前記加工データとを関連付けて前記医療機関に対して出力することを特徴とする検査データ管理方法。
本発明に係る検査データ管理方法においては、処理機関と医療機関との間における患者の被検知体ＩＤと加工データとを含んだデータの受け渡しが、第１のネットワークを介して行うので、より確実で且つ時間を短縮して行うことができ、医療機関は、患者の診断を速やかに行うことができる。また、処理機関は、医療機関と直接データの受け渡しを行うので、データの紛失等を防止でき、安全性を向上させると共に患者の個人情報の漏洩を更に防止することができる。
【００３７】
（付記項２）付記項１に記載の検査データ管理方法において、
前記処理機関が、第２のネットワークを介して前記患者から前記被検知体ＩＤと前記検査情報とを入手することを特徴とする検査データ管理方法。
この発明に係る検査データ管理方法においては、処理機関は、第２のネットワークを介して患者から被検知体ＩＤに対応付けた検査情報を入手するので、検査終了後、確実且つ速やかに、また情報の漏洩なく患者からデータを入手することができる。
【００３８】
（付記項３）付記項２に記載の検査データ管理方法において、
前記処理機関が、前記ネットワークの端末に前記患者がアクセスした際に、該アクセスするまでに得られた前記検査情報を前記被検知体ＩＤと関連付けて自動的に入手することを特徴とする検査データ管理方法。
この発明に係る検査データ管理方法においては、処理機関が、患者から最後にまとまった形で検査情報を得るのではなく、随時得ることができるので、例えば、携帯検知装置に何らかの不具合が生じた場合や紛失してしまった場合でも、それまでに携帯検知装置に蓄積した検査情報を無駄にすることが防止でき、データの安全性を向上させることができる。また、処理機関は、患者が端末にアクセスしたときに、自動的に検査情報を入手するので、検査情報の出力における患者の負担を軽減させることができる。
【００３９】
【発明の効果】
本発明の検査データ管理方法によれば、以下の効果を奏する。
即ち、処理機関の管理サーバが、患者の検査情報に所定の処理を施して医療機関が診断に必要な加工データを生成し、これを医療機関に送る。これにより、医療機関は、処理機関から患者の診断に必要な加工データを容易に得るので、従来あった検査情報の処理作業という負担を軽減することができる。
また、患者としても、従来のように何度も医療機関を訪れる必要がないので、時間を有効に利用でき、負担を軽減することができる。
更に、処理機関の管理サーバは、被検知体ＩＤと医療機関ＩＤとを関連付けて記憶しており、患者からは被検知体ＩＤ及び検査情報を入手する。これにより、被検知体ＩＤをキーとして、被検知体を患者に投入した医療機関が特定できるので、確実に患者の検査情報である加工データを、医療機関に送ることができる。
更には、医療機関、処理機関及び患者の間において、被検知体ＩＤをキーとして患者の検査情報の受け渡しを行っているので、患者の氏名等の個人情報が処理機関に漏れる可能性はない。従って、患者の個人情報が、診察を受ける医療機関以外の第三者に漏れることはなく、患者は安心して検査を受けることができる。
【図面の簡単な説明】
【図１】  本発明に係る第１実施形態の検査データ管理方法に用いられるデータ管理システムのシステム図である。
【図２】  本発明に係る第１実施形態の検査データ管理方法におけるフローチャートである。
【図３】  本発明に係る第２実施形態の検査データ管理方法に用いられるデータ管理システムのシステム図である。
【図４】  本発明に係る第２実施形態の他の例であって、検査データ管理方法に用いられるデータ管理システムのシステム図である。
【符号の説明】
Ａ    カプセル内視鏡（被検知体）
Ｂ    体外装置（携帯検知装置）
２０    病院（医療機関）
３０    患者
４０    処理機関
【図１】
0004593083.tif 000002
【図２】
0004593083.tif 000003
【図３】
0004593083.tif 000004
【図４】
0004593083.tif 000005